(57)【要約】【課題】ガラス製品に高度な職人的な技能を用いることなく装飾を施すことが可能で、しかもガラス製品と金属製台座との取付が確実に行える宝石類を装着したガラス製品を提供することを目的とするものである。【解決手段】ガラス製品本体がその適所に厚肉化した適宜モチーフの装飾を備え、該ガラス製品本体の前記厚肉部が軟化している状態で、台座に取り付けた宝石類を、台座に設けた端部を尖らせた脚部の先端から前記厚肉部に圧入することにより宝石類を装着したガラス製品であって、前記台座の脚部に、適宜の抜止め手段を形成したことを特徴とする宝石類を装着したガラス製品。【選択図】図１
0003145996.tif 000002
【実用新案登録請求の範囲】
【請求項１】
ガラス製品本体がその適所に厚肉化した適宜モチーフの装飾を備え、該ガラス製品本体の前記厚肉部が軟化している状態で、台座に取り付けた宝石類を、台座に設けた端部を尖らせた脚部の先端から前記厚肉部に圧入することにより宝石類を装着したガラス製品であって、
前記台座の脚部に、適宜の抜止め手段を形成したことを特徴とする宝石類を装着したガラス製品。
【請求項２】
前記抜止め手段が、前記台座の脚部に形成した所定形状の膨らみからなることを特徴とする請求項1に記載の宝石類を装着したガラス製品。
【請求項３】
前記抜止め手段が、前記台座の脚部に形成した所定形状のリング状開口部からなることを特徴とする請求項1に記載の宝石類を装着したガラス製品。
【請求項４】
前記抜止め手段が、前記台座の脚部に形成した所定形状の抜止め用の爪からなることを特徴とする請求項1に記載の宝石類を装着したガラス製品。
【考案の詳細な説明】
【技術分野】
【０００１】
本考案は、従来ほとんど試みられてかった宝石類を装着したガラス製品に関するものである。
【背景技術】
【０００２】
ガラス製品においては、種々の技法で装飾性を高める工夫が凝らされてきている。
例えば、模様を印刷したり、ガラスパーツをガラスへ象嵌したり（マルケトリ）、ガラスの表面をさび色にくもらせたり、にごらせたり（パチネ）、所定の位置を腐蝕によって削るガラスエッチング等の手法が一般的である。
【０００３】
また、ガラス製品に宝石類を取り付けたものとしては、実開平７−２０９３５号公報（特許文献１参照）に、グラス（コップ）、食器の底、あるいは周りにパワーストーン（宝石）をつけ、とれないように装着したものが提案されている。
【特許文献１】実開平７−２０９３５号公報
【考案の開示】
【考案が解決しようとする課題】
【０００４】
前者の、模様を印刷したり、ガラスパーツをガラスへ象嵌したり（マルケトリ）、ガラスの表面をさび色にくもらせたり、にごらせたり（パチネ）、所定の位置を腐蝕によって削るガラスエッチング等の手法による装飾の場合、非常に高度な職人的な技能が要求される場合が多い。
【０００５】
他方、ガラス製品に宝石を取り付ける手法においては、それほど高度な技能を要求されることはないが、実開平７−２０９３５号公報（特許文献１参照）のように、単にガラス製品に宝石を取り付けるという発想だけでは製品化することは難しい。
すなわち、ガラス製品に機械加工を施して穴あけし、これに接着剤やらせん状の溝（ネジ）等を介して宝石類やその台座を取り付ける方法では、ガラス製品が穴あけ加工に耐え得るかどうかや、ガラス製品と金属製台座との充分な接着が可能かどうか等、難問が山積している。
【０００６】
そこでこの考案においては、ガラス製品に高度な職人的な技能を用いることなく装飾を施すことが可能で、しかもガラス製品と金属製台座との取付が確実に行える宝石類を装着したガラス製品を提供することを目的とするものである。
【課題を解決するための手段】
【０００７】
すなわち、本考案の宝石類を装着したガラス製品は、ガラス製品本体がその適所に厚肉化した適宜モチーフの装飾を備え、該ガラス製品本体の前記厚肉部が軟化している状態で、台座に取り付けた宝石類を、台座に設けた端部を尖らせた脚部の先端から前記厚肉部に圧入することにより宝石類を装着したガラス製品であって、
前記台座の脚部に、適宜の抜止め手段を形成したことを特徴とするものである。
【０００８】
本考案の宝石類を装着したガラス製品は、前記抜止め手段が、前記台座の脚部に形成した所定形状の膨らみからなることをも特徴とするものである。
【０００９】
本考案の宝石類を装着したガラス製品は、前記抜止め手段が、前記台座の脚部に形成した所定形状のリング状開口部からなることをも特徴とするものである。
【００１０】
本考案の宝石類を装着したガラス製品は、前記抜止め手段が、前記台座の脚部に形成した所定形状の抜止め用の爪からなることをも特徴とするものである。
【考案の効果】
【００１１】
この考案によれば、ガラス製品に高度な職人的な技能を用いることなく装飾を施すことが可能で、しかもガラス製品と金属製台座との取付けが確実に行える宝石類を装着したガラス製品を提供することが可能となった。
また、ガラス製品と金属製台座との取付けを接着剤ややらせん状の溝（ネジ）を用いて行う場合のように、当該取付部分においてガラス製品の装飾性を損ないやすいという問題を解決することができる。
【考案を実施するための最良の形態】
【００１２】
以下この考案の宝石類を装着したガラス製品の実施の形態について、図面に基いて詳細に説明する。
図１はこの考案の宝石類を装着したガラス製品の１実施例を示す斜視図、図２はガラス容器に取り付ける宝石をセットした台座の斜視図、図３は台座の別の例を示す斜視図である。
【００１３】
図１は、この考案の宝石類を装着したガラス製品をワイングラス等のガラス容器に適用した場合を示すものであり、ガラス容器本体１１の適所に肉盛りして厚みを増した厚肉部１２からなる装飾を形成してある。この厚肉部１２は、ガラス容器本体１１の成形時に一体的に形成することができる。
また、ガラス容器本体１１の成形の際に、ガラス容器本体１１を加熱して軟化（あぶり戻し）させながら、溶融状態の肉盛り用ガラス素材を融着させることによって形成してもよい。要は、後述する宝石２１台座２２の脚部２３が根元まで圧入、装着するのに充分な厚みを持っていることが必要なのである。
【００１４】
このようにして厚肉部１２を形成した上で、該厚肉部１２に別途宝石２１を台座２２にセットした取付部品を装着する。
前記宝石２１を台座２２にセットした取付部品は、台座２２の底面に脚部２３が突設されており、かつこの脚部２３には適所に後述する抜止め手段が形成されている。
【００１５】
ガラス容器本体１１の前記厚肉部１２に、別途宝石２１を台座２２にセットした取付部品を装着するには、ガラス容器本体１１の前記厚肉部１２を加熱して溶融軟化させた状態で、台座２２の脚部２３を前記厚肉部１２の所定の位置に圧入すればよい。
ちなみに、ガラス素材の軟化点は約５００〜８００℃が一般的であるが、ガラス容器本体に用いられるガラス素材に応じて加熱する温度が変わることはいうまでもない。もちろん貴金属の融点は９００℃以上であるので、ガラス素材の軟化点まで加熱しても何ら問題はない。
【００１６】
他方、宝石２１を台座２２にセットした取付部品においては、図２および図３に示すように台座２２には端部を尖らせた脚部２３が一体的に形成してある。
したがって、この脚部２３の尖らせた先端から前記厚肉部１２に台座２２を押し込めばよいのである。
【００１７】
前記台座２２の脚部２３には、適宜の抜止め手段３１が形成してある。
この抜止め手段３１として、前記台座２２の脚部２３に形成した所定形状の膨らみが用いられる。
【００１８】
図２においては、前記抜止め手段３１として、前記台座２２の脚部２３に形成した所定形状のリング状の開口部３１−１が挙げられる。したがって、脚部２３の尖らせた先端から前記厚肉部１２に台座２２を押し込むと、このリング状の開口部３１−１内に溶融軟化したガラス容器本体１１のガラス素材が充填され、台座２２は前記厚肉部１２に確実かつ強固に保持されるのである。
【００１９】
図３においては、前記抜止め手段３１として、前記台座２２の脚部２３に形成した所定形状の抜止め用の爪３１−２が示されている。したがって、脚部２３の尖らせた先端から前記厚肉部１２に台座２２を押し込むと、この抜止め用の爪３１−２は溶融軟化したガラス容器本体１１のガラス素材中に埋没した状態となり、台座２２は前記厚肉部１２に確実かつ強固に保持されるのである。
【００２０】
なお、上記各実施例においては、この考案の宝石類を装着したガラス製品をワイングラス等のガラス容器に適用した場合を例にとって説明したが、何らガラス容器に限定されるものではなく、この考案はガラス容器以外の各種のガラス製品に適用できることはいうまでもない。
【産業上の利用可能性】
【００２１】
以上、この考案の宝石類を装着したガラス製品をガラス容器を例にとって説明したが、同様のガラス素材を用いた食卓用容器のみならず、ガラス製であれば種々のガラス製品に適用することができる。
【図面の簡単な説明】
【００２２】
【図１】この考案の宝石類を装着したガラス製品の１実施例を示す斜視図である。
【図２】ガラス容器に取り付ける宝石をセットした台座の斜視図である。
【図３】台座の別の例を示す斜視図である。
【符号の説明】
【００２３】
１１  ガラス容器本体
１２  厚肉部
２１  宝石
２２  台座
２３  脚部
３１  抜止め手段
３１−１  リング状の開口部
３１−２  抜止め用の爪
【図１】
0003145996.tif 000003
【図２】
0003145996.tif 000004
【図３】
0003145996.tif 000005